(57)【要約】【課題】光の透過率を選択的に変更することができる反射スクリーン、及び、これを備える映像表示装置を提供する。【解決手段】スクリーン１０は、スクリーン１０の厚み方向の背面側の面に、映像光が入射する第１の面とこれに対向する第２の面とを有する単位光学形状１２Ａが複数配列されて形成された第１光学形状層１２と、単位光学形状１２Ａの少なくとも第１の面の一部に形成され、入射した光の少なくとも一部を反射し、その他の光を透過する機能を有する反射層１３とを備え、単位光学形状１２Ａは、その表面に微細かつ不規則な凹凸形状を有し、反射層１３よりも背面側には、透明電極２２Ａと、透明電極２２Ａと対向配置された透明電極２２Ｂと、透明電極２２Ａと透明電極２２Ｂとの間に配置され、透明電極２２Ａと透明電極２２Ｂとの間の電位差に応じて透過率を変化させる液晶層２６とを有する調光層２０をさらに備える。【選択図】図２
2019132973.tif 000002
【特許請求の範囲】
【請求項１】
映像源から投射された映像光を反射して映像を表示し、かつ、透明性を有する反射スクリーンであって、
光透過性を有する層であって、当該反射スクリーンの厚み方向の背面側の面に、映像光が入射する第１の面とこれに対向する第２の面とを有する単位光学形状が複数配列されて形成された光学形状層と、
前記単位光学形状の少なくとも前記第１の面の一部に形成され、入射した光の少なくとも一部を反射し、その他の光を透過する機能を有する反射層と、
を備え、
前記単位光学形状は、その表面に微細かつ不規則な凹凸形状を有し、
前記反射層の少なくとも前記単位光学形状側の面は、前記凹凸形状に対応した凹凸形状を有しており、
当該反射スクリーンの厚み方向において、前記反射層よりも背面側には、
透明な第１電極と、
前記第１電極と対向配置された透明な第２電極と、
前記第１電極と前記第２電極との間に配置され、前記第１電極と前記第２電極との間の電位差に応じて透過率を変化させる調光材料と、
を有する調光層をさらに備える反射スクリーン。
【請求項２】
請求項１に記載の反射スクリーンにおいて、
前記反射層と前記調光材料との間の最短距離は、０．５ｍｍ以下であること、
を特徴とする反射スクリーン。
【請求項３】
請求項１又は請求項２に記載の反射スクリーンにおいて、
前記調光材料の透過率が最も高くなる状態における当該反射スクリーンの透過率は、３０％以上、５０％以下の範囲にあること、
を特徴とする反射スクリーン。
【請求項４】
請求項１から請求項３までのいずれかに記載の反射スクリーンにおいて、
前記調光材料は、二色性色素を有する液晶であること、
を特徴とする反射スクリーン。
【請求項５】
請求項１から請求項４までのいずれかに記載の反射スクリーンにおいて、
前記反射層は、誘電体多層膜により形成されていること、
を特徴とする反射スクリーン。
【請求項６】
請求項１から請求項５までのいずれかに記載の反射スクリーンにおいて、
前記光学形状層は、前記単位光学形状が同心円状に複数配列されたサーキュラーフレネルレンズ形状を有すること、
を特徴とする反射スクリーン。
【請求項７】
請求項６に記載の反射スクリーンにおいて、
前記サーキュラーフレネルレンズ形状の中心は、当該反射スクリーンの外に設けられていること、
を特徴とする反射スクリーン。
【請求項８】
請求項１から請求項７までのいずれか１項に記載の反射スクリーンにおいて、
当該反射スクリーンの厚み方向において前記反射層よりも背面側に、光透過性を有し、前記単位光学形状の間の谷部を充填するように積層された第２光学形状層を備えること、
を特徴とする反射スクリーン。
【請求項９】
請求項８に記載の反射スクリーンにおいて、
前記調光層は、前記第２光学形状層に粘着層を介して接合されていること、
を特徴とする反射スクリーン。
【請求項１０】
請求項１から請求項９までのいずれかに記載の反射スクリーンにおいて、
光を拡散する機能を有する拡散粒子を含有する光拡散層を備えていないこと、
を特徴とする反射スクリーン。
【請求項１１】
請求項１から請求項１０までのいずれかに記載の反射スクリーンと、
前記反射スクリーンに対して、映像光を投射する映像源と、
を備える映像表示装置。
【発明の詳細な説明】
【技術分野】
【０００１】
本発明は、反射スクリーンと、これを備える映像表示装置に関するものである。
【背景技術】
【０００２】
従来、映像源から投射された映像光を反射して表示する反射スクリーンとして、様々なものが開発されている。なかでも、透明性を有する反射スクリーンは、窓ガラス等のように透光性の高い部材に貼り付ける等し、投射された映像光を反射して良好に映像が視認でき、かつ、映像光を投射しない不使用時等にはスクリーンの向こう側の景色が透けて見えるため、意匠性の高さ等から需要が高まっている（例えば、特許文献１参照）。
【先行技術文献】
【特許文献】
【０００３】
【特許文献１】特開２０１７−１５６４５２号公報
【発明の概要】
【発明が解決しようとする課題】
【０００４】
しかし、特許文献１の反射スクリーンは、スクリーンの向こう側の景色が透けて見えることから、例えば、背景が明るい場合等には、映像のコントラストが低下する等して映像が見にくい場合があった。また、一部の映像光が反射型スクリーンの背面側から出射する場合がある。このような抜け光が、特に反射スクリーンの画面上部等で生じると、背面側の天井等に映像が映り込み、意匠性の低下を招く場合があった。
【０００５】
本発明の課題は、光の透過率を選択的に変更することができる反射スクリーン、及び、これを備える映像表示装置を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、映像源（ＬＳ）から投射された映像光を反射して映像を表示し、かつ、透明性を有する反射スクリーン（１０）であって、光透過性を有する層であって、当該反射スクリーン（１０）の厚み方向の背面側の面に、映像光が入射する第１の面（１２Ａａ）とこれに対向する第２の面（１２Ａｂ）とを有する単位光学形状（１２Ａ）が複数配列されて形成された光学形状層（１２）と、前記単位光学形状（１２Ａ）の少なくとも前記第１の面（１２Ａａ）の一部に形成され、入射した光の少なくとも一部を反射し、その他の光を透過する機能を有する反射層（１３）と、を備え、前記単位光学形状（１２Ａ）は、その表面に微細かつ不規則な凹凸形状を有し、前記反射層（１３）の少なくとも前記単位光学形状（１２Ａ）側の面は、前記凹凸形状に対応した凹凸形状を有しており、当該反射スクリーン（１０）の厚み方向において、前記反射層（１３）よりも背面側には、透明な第１電極（２２Ａ）と、前記第１電極（２２Ａ）と対向配置された透明な第２電極（２２Ｂ）と、前記第１電極（２２Ａ）と前記第２電極（２２Ｂ）との間に配置され、前記第１電極（２２Ａ）と前記第２電極（２２Ｂ）との間の電位差に応じて透過率を変化させる調光材料（２６，２７）と、を有する調光層（２０）をさらに備える反射スクリーン（１０）である。
【０００８】
第２の発明は、第１の発明に記載の反射スクリーン（１０）において、前記反射層（１３）と前記調光材料（２６，２７）との間の最短距離は、０．５ｍｍ以下であること、を特徴とする反射スクリーン（１０）である。
【０００９】
第３の発明は、第１の発明又は第２の発明に記載の反射スクリーン（１０）において、前記調光材料（２６，２７）の透過率が最も高くなる状態における当該反射スクリーン（１０）の透過率は、３０％以上、５０％以下の範囲にあること、を特徴とする反射スクリーン（１０）である。
【００１０】
第４の発明は、第１の発明から第３の発明までのいずれかに記載の反射スクリーン（１０）において、前記調光材料（２６，２７）は、二色性色素を有する液晶であること、を特徴とする反射スクリーン（１０）である。
【００１１】
第５の発明は、第１の発明から第４の発明までのいずれかに記載の反射スクリーン（１０）において、前記反射層（１３）は、誘電体多層膜により形成されていること、を特徴とする反射スクリーン（１０）である。
【００１２】
第６の発明は、第１の発明から第５の発明までのいずれかに記載の反射スクリーン（１０）において、前記光学形状層（１２）は、前記単位光学形状（１２Ａ）が同心円状に複数配列されたサーキュラーフレネルレンズ形状を有すること、を特徴とする反射スクリーン（１０）である。
【００１３】
第７の発明は、第６の発明に記載の反射スクリーン（１０）において、前記サーキュラーフレネルレンズ形状の中心（Ｃ）は、当該反射スクリーン（１０）の外に設けられていること、を特徴とする反射スクリーン（１０）である。
【００１４】
第８の発明は、第１の発明から第７の発明までのいずれか１項に記載の反射スクリーン（１０）において、当該反射スクリーン（１０）の厚み方向において前記反射層（１３）よりも背面側に、光透過性を有し、前記単位光学形状（１２Ａ）の間の谷部を充填するように積層された第２光学形状層（１４）を備えること、を特徴とする反射スクリーン（１０）である。
【００１５】
第９の発明は、第８の発明に記載の反射スクリーン（１０）において、前記調光層（２０）は、前記第２光学形状層（１４）に粘着層（３０）を介して接合されていること、を特徴とする反射スクリーン（１０）である。
【００１６】
第１０の発明は、第１の発明から第９の発明までのいずれかに記載の反射スクリーン（１０）において、光を拡散する機能を有する拡散粒子を含有する光拡散層を備えていないこと、を特徴とする反射スクリーン（１０）である。
【００１７】
第１１の発明は、第１の発明から第１０の発明までのいずれかに記載の反射スクリーン（１０）と、前記反射スクリーン（１０）に対して、映像光を投射する映像源（ＬＳ）と、を備える映像表示装置（１）である。
【発明の効果】
【００１８】
本発明によれば、光の透過率を選択的に変更することができる反射スクリーン、及び、これを備える映像表示装置を提供することができる。
【図面の簡単な説明】
【００１９】
【図１】実施形態の映像表示装置１を示す図である。
【図２】実施形態のスクリーン１０の層構成の一例を示す図である。
【図３】実施形態の第１光学形状層１２を説明する図である。
【図４】保護層１５を設けずに、第２光学形状層１４に粘着層３０が直接設けられている形態を示す図である。
【図５】実施形態のスクリーン１０での映像光及び外光の様子を示す図である。
【図６】実施形態のスクリーン１０の層構成の他の例を図２と同様にして示す図である。
【図７】実施例１及び実施例２の透過率をまとめて示した図である。
【発明を実施するための形態】
【００２０】
以下、本発明を実施するための最良の形態について図面等を参照して説明する。なお、図１を含め、以下に示す各図は、模式的に示した図であり、各部の大きさ、形状は、理解を容易にするために、適宜誇張している。
本明細書中において、記載する各部材の寸法等の数値及び材料名等は、実施形態としての一例であり、これに限定されるものではなく、適宜選択して使用してよい。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書中において、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中において、シート面とは、各シートにおいて、そのシート全体として見たときにおける、シートの平面方向となる面を示すものであるとする。なお、板面、フィルム面についても同様である。
【００２１】
（実施形態）
図１は、実施形態の映像表示装置１を示す図である。図１（ａ）では、映像表示装置１の斜視図であり、図１（ｂ）は、映像表示装置１を側面から見た図である。
映像表示装置１は、スクリーン１０、映像源ＬＳ等を有している。本実施形態のスクリーン１０は、映像源ＬＳから投影された映像光Ｌを反射して、画面上に映像を表示する反射スクリーンである。このスクリーン１０の詳細に関しては、後述する。
本実施形態では、一例として、映像表示装置１は、室内用の透明板によって構成されたパーテーションに適用され、スクリーン１０がその透明板に固定される例を挙げて説明する。なお、このような透明板としては、ガラス製や樹脂製等の透明性の高い板状の部材が用いられる。
【００２２】
ここで、理解を容易にするために、図１を含め以下に示す各図において、適宜、ＸＹＺ直交座標系を設けて示している。この座標系では、スクリーン１０の画面の水平方向（左右方向）をＸ方向、鉛直方向（上下方向）をＹ方向とし、スクリーン１０の厚み方向をＺ方向とする。スクリーン１０の画面は、ＸＹ面に平行であり、スクリーン１０の厚み方向（Ｚ方向）は、スクリーン１０の画面に直交する。
また、スクリーン１０の映像源側の正面方向に位置する観察者Ｏ１から見て水平方向の右側に向かう方向を＋Ｘ方向、鉛直方向の上側に向かう方向を＋Ｙ方向、厚み方向において背面側（裏面側）から映像源側に向かう方向を＋Ｚ方向とする。
さらに、以下の説明中において、画面上下方向、画面左右方向、厚み方向とは、特に断りが無い場合、このスクリーン１０の使用状態における画面上下方向（鉛直方向）、画面左右方向（水平方向）、厚み方向（奥行き方向）であり、それぞれ、Ｙ方向、Ｘ方向、Ｚ方向に平行であるとする。
【００２３】
映像源ＬＳは、映像光Ｌをスクリーン１０へ投影する映像投射装置であり、例えば、短焦点型のプロジェクタである。
この映像源ＬＳは、映像表示装置１の使用状態において、スクリーン１０の画面（表示領域）を正面方向（スクリーン面の法線方向）から見た場合に、スクリーン１０の画面左右方向の中央であって、スクリーン１０の画面よりも鉛直方向下方側に位置している。
映像源ＬＳは、奥行き方向（Ｚ方向）において、スクリーン１０の表面からの距離が、従来のスクリーンの画面正面方向に位置する汎用プロジェクタに比べて大幅に近い位置から斜めに映像光Ｌを投影できる。したがって、従来の汎用プロジェクタに比べて、映像源ＬＳは、スクリーン１０までの投射距離が短く、投射された映像光Ｌがスクリーン１０に入射する入射角度が大きく、入射角度の変化量（入射角度の最小値から最大値までの変化量）も大きい。
【００２４】
スクリーン１０は、映像源ＬＳが投射した映像光Ｌを映像源側（＋Ｚ側）の正面方向に位置する観察者Ｏ１側へ向けて反射して、観察者Ｏ１に映像を表示でき、かつ、スクリーン１０の向こう側の景色を観察できる透明性を有する半透過型の反射スクリーンである。また、スクリーン１０は、透過する光の透過率を選択的に変化させることができる。
スクリーン１０の画面（表示領域）は、使用状態において、観察者Ｏ１側から見て長辺方向が画面左右方向となる略矩形状である。また、スクリーン１０は、その画面サイズが対角４０〜１００インチ程度であり、画面の横縦比が１６：９である。
なお、これに限らず、スクリーン１０は、例えば、観察者Ｏ１側から見た形状を他の形状としてもよいし、その画面サイズを４０インチ以下の大きさとしてもよく、使用目的や使用環境等に応じて、その大きさや形状は適宜選択できるものとする。
【００２５】
スクリーン１０は、樹脂製の薄い層の積層体等であり、それ単独では平面性を維持するだけの十分な剛性を有していない。そのため、本実施形態のスクリーン１０は、図１（ｂ）等に示すように、その背面側に光透過性を有する接合層５１を介して支持板５０に一体に接合（あるいは部分固定）され、画面の平面性を維持している。
支持板５０は、光透過性を有し、剛性が高い平板状の部材であり、アクリル樹脂やＰＣ（ポリカーボネート）樹脂等の樹脂製、ガラス製等の板状の部材を用いることができる。本実施形態の支持板５０は、室内用パーテーションのガラス製の透明板ある。
なお、これに限らず、スクリーン１０は、不図示の枠部材等によってその四辺等が支持され、その平面性を維持する形態としてもよい。
【００２６】
図２は、実施形態のスクリーン１０の層構成の一例を示す図である。図２では、スクリーン１０の画面中央（画面の幾何学的中心）となる点Ａ（図１参照）を通り、画面上下方向（Ｙ方向）に平行であって、スクリーン面に直交（Ｚ方向に平行）する断面として示している。なお、図２では、スクリーン１０のみを示し、支持板５０等は省略して示している。
図３は、実施形態の第１光学形状層１２を説明する図である。図３では、第１光学形状層１２を背面側（−Ｚ側）から見た図であり、理解を容易にするために、反射層１３等を省略して示している。
スクリーン１０は、図２に示すように、厚み方向（Ｚ方向）において、その映像源側（＋Ｚ側）から順に、基材層１１、第１光学形状層１２、反射層１３、第２光学形状層１４、保護層１５、粘着層３０、調光層２０等を備えている。
【００２７】
基材層１１は、光透過性を有するシート状の部材であり、その背面側（−Ｚ側）に、第１光学形状層１２が一体に形成されている。この基材層１１は、第１光学形状層１２を形成する基材（ベース）となる層である。
基材層１１は、例えば、高い光透過性を有するＰＥＴ（ポリエチレンテレフタレート）等のポリエステル樹脂、アクリル樹脂、スチレン樹脂、アクリル・スチレン樹脂、ＰＣ（ポリカーボネート）樹脂、脂環式ポリオレフィン樹脂、ＴＡＣ（トリアセチルセルロース）樹脂等により形成される。
基材層１１は、スクリーン１０の画面サイズ等に応じてその厚さを適宜設定してよい。
【００２８】
第１光学形状層１２は、基材層１１の背面側（−Ｚ側）に形成された光透過性を有する層である。第１光学形状層１２の背面側（−Ｚ側）の面には、単位光学形状１２Ａが複数配列されて設けられている。
単位光学形状１２Ａは、図３に示すように、真円の一部形状（円弧状）であり、スクリーン１０の画面（表示領域）外に位置する点Ｃを中心として、同心円状に複数配列されている。即ち、第１光学形状層１２は、点Ｃを中心（フレネルセンター）とする、いわゆるオフセット構造のサーキュラーフレネルレンズ形状を、その背面側に有している。
本実施形態では、図３に示すように、第１光学形状層１２をスクリーン面の法線方向背面側から見たときに、点Ｃは、画面左右方向の中央であって画面外下方に位置しており、点Ｃと点Ａとは、Ｙ方向に平行な同一直線上に位置している。
【００２９】
単位光学形状１２Ａは、図２に示すように、スクリーン面に直交する方向（Ｚ方向）に平行であって、単位光学形状１２Ａの配列方向に平行な断面における断面形状が、略三角形形状である。
単位光学形状１２Ａは、背面側（−Ｚ側）に凸であり、映像光が入射する第１斜面（第１の面）１２Ａａと、これに対向する第２斜面（第２の面）１２Ａｂとを有している。１つの単位光学形状１２Ａにおいて、第１斜面１２Ａａは、頂点ａを挟んで第２斜面１２Ａｂの上側（＋Ｙ側）に位置している。
【００３０】
第１斜面１２Ａａがスクリーン面に平行な面となす角度は、θ１である。第２斜面１２Ａｂがスクリーン面に平行な面となす角度は、θ２である。角度θ１，θ２は、θ２＞θ１という関係を満たしている。
この単位光学形状１２Ａの第１斜面１２Ａａ及び第２斜面１２Ａｂは、微細かつ不規則な凹凸形状を有している。この微細な凹凸形状は、凸形状と凹形状とが２次元方向に不規則に配列されて形成されており、凸形状及び凹形状は、その大きさや形状、高さ等が不規則である。
【００３１】
単位光学形状１２Ａの配列ピッチは、Ｐ１であり、単位光学形状１２Ａの高さ（厚み方向における頂点ａから単位光学形状１２Ａ間の谷底となる点ｂまでの寸法）は、ｈである。
理解を容易にするために、図２では、単位光学形状１２Ａの配列ピッチＰ１、角度θ１，θ２は、単位光学形状１２Ａの配列方向において一定である例を示している。しかし、本実施形態の単位光学形状１２Ａは、実際には、配列ピッチＰ１は一定であるが、角度θ１が単位光学形状１２Ａの配列方向においてフレネルセンターとなる点Ｃから離れるにつれて次第に大きくなっている。
また、角度θ１，θ２、配列ピッチＰ１等は、映像源ＬＳからの映像光の投射角度（スクリーン１０への映像光の入射角度）や、映像源ＬＳの画素（ピクセル）の大きさ、スクリーン１０の画面サイズ、各層の屈折率等に応じて、適宜設定してよい。例えば、単位光学形状１２Ａの配列方向に沿って、配列ピッチＰ１や角度θ１等が変化する形態としてもよい。
【００３２】
なお、本実施形態では、第１光学形状層１２の背面側の面には、サーキュラーフレネルレンズ形状が形成される例を示したが、これに限らず、第１光学形状層１２の背面側の面には、単位光学形状１２Ａが画面左右方向（Ｘ方向）を長手方向とし、画面上下方向（Ｙ方向）に配列されたリニアフレネルレンズ形状が形成される形態としてもよい。また、柱状の単位プリズムが、画面左右方向（Ｘ方向）を長手方向とし、画面上下方向（Ｙ方向）に複数された形態としてもよい。
【００３３】
第１光学形状層１２は、光透過性の高いウレタンアクリレート系、ポリエステルアクリレート系、エポキシアクリレート系、ポリエーテルアクリレート系、ポリチオール系、ブタジエンアクリレート系等の紫外線硬化型樹脂により形成されている。
なお、本実施形態では、第１光学形状層１２を構成する樹脂として、紫外線硬化型樹脂を例に挙げて説明するが、これに限らず、例えば、電子線硬化型樹脂等の他の電離放射線硬化型樹脂により形成してもよい。
【００３４】
反射層１３は、単位光学形状１２Ａ上（第１斜面１２Ａａ及び第２斜面１２Ａｂ上）に形成されている。この反射層１３は、入射した光の一部を反射し、その他を透過する半透過型の反射層、いわゆるハーフミラーである。
前述のように、第１斜面１２Ａａ及び第２斜面１２Ａｂ（単位光学形状１２Ａの表面）には、微細な凹凸形状が形成されており、反射層１３は、この微細な凹凸形状に追従して形成され、かつ、単位光学形状１２Ａ側とは反対側の面にも、この微細かつ不規則な凹凸形状が維持された状態で成膜されている。したがって、反射層１３の映像源側の面（第１光学形状層１２側の面）と、背面側の面（第２光学形状層１４側の面）とは、微細かつ不規則な凹凸形状を有するマット面（粗面）となっている。
この反射層１３は、入射した光の一部を反射面の微細な凹凸形状により拡散して反射し、反射しない他の光を拡散しないで透過するという機能を有する。
【００３５】
本実施形態の反射層１３は、金属を用いる構成と、誘電体多層膜を用いる構成とを例示することができ、本実施形態では、金属を用いた構成と、誘電体多層膜を用いた構成との２種類を作製した。
反射層１３は、金属を用いる場合、光反射性の高い金属、例えば、アルミニウム、銀、ニッケル等により形成され、その厚さは、数１０Å程度である。反射層１３は、これに限らず、例えば、上述のような光反射性の高い金属をスパッタリングして形成してもよい。
また、金属を用いた反射層１３の反射率及び透過率は、所望する光学性能に合わせて適宜に設定できるが、映像光を良好に反射させるとともに、映像光以外の光（例えば、太陽光等の外界からの光）を良好に透過させる観点から、例えば、透過率が３０〜８０％程度、反射率が５〜６０％程度の範囲とすることができる。なお、上記透過率を含めて、以下に示す各層の透過率に関する数値は、空気界面における反射については考慮していない値を示している。また、スクリーン１０の表面（空気界面）における反射は、その表面処理によって大きく左右されるが、例えば、１０％程度を考慮するとよい。本実施形態のスクリーン１０では、反射スクリーン部分（１１〜１５）と調光層２０とを別々に設けずに接合していることから、入射する光については空気界面が１つ減るので、その分、透過率を高めるためには有利な構成となっている。
本実施形態で金属を用いて構成した反射層１３は、アルミニウムを蒸着することにより形成されており、反射層１３のみでの透過率が約７０％、反射率が約５％、吸収率が約２５％のハーフミラー状である。
【００３６】
また、反射層１３は、誘電体多層膜を用いる場合、金属蒸着膜等に比べて高い透明性及び反射率を実現可能である。誘電体多層膜は、屈折率の高い誘電体膜（以下、高屈折率誘電体膜という）と屈折率が低い誘電体膜（以下、低屈折率誘電体膜という）とが交互に複数積層されて形成されている。
高屈折率誘電体膜は、例えば、ＴｉＯ２（二酸化チタン）、Ｎｂ２Ｏ５（五酸化ニオブ）、Ｔａ２Ｏ５（五酸化タンタル）等により形成される。高屈折率誘電体膜の屈折率は、２．０〜２．６程度である。
低屈折率誘電体膜は、例えば、ＳｉＯ２（二酸化ケイ素）、ＭｇＦ２（フッ化マグネシウム）等により形成される。低屈折率誘電体膜の屈折率は、１．３〜１．５程度である。
高屈折率誘電体膜及び低屈折率誘電体膜の膜厚は、約５〜１００ｎｍであり、これらが交互に２〜１０層程積層されて形成されており、誘電体多層膜の総厚は、１０〜１０００ｎｍ程度である。
この誘電体多層膜を用いて構成された反射層１３は、波長域４００〜８００ｎｍの光に対して、その透過率が９０％程度、反射率が１０％程度である。
【００３７】
誘電体多層膜により形成された反射層１３は、アルミニウム等の金属蒸着膜等により形成された反射層に比べて、高い透明性を有しており、また、光の吸収損失が小さく、高い反射率を実現できる。
この反射層１３は、単位光学形状１２Ａ上（第１斜面１２Ａａ及び第２斜面１２Ａｂ上）に、上述のような誘電体多層膜を蒸着加工する、スパッタ加工する等により、所定の厚さで形成される。
本実施形態で誘電体多層膜を用いて構成した本実施形態の反射層１３は、ＴｉＯ２（二酸化チタン）により形成された高屈折率誘電体膜と、ＳｉＯ２により形成された低屈折率誘電体膜を交互に計５層積層（高屈折率誘電体膜が３層、低屈折率誘電体膜が２層）して形成されており、透過率が約９０％、反射率が約１０のハーフミラー状である。
なお、反射層１３の厚さは、その材質や所望する光学性能等によって適宜設定してよい。
【００３８】
第２光学形状層１４は、第１光学形状層１２の背面側（−Ｚ側）に設けられた光透過性を有する層である。
第２光学形状層１４は、単位光学形状１２Ａ間の谷部を埋めるように充填され、第１光学形状層１２の背面側（−Ｚ側）の面を平坦化している。この第２光学形状層１４の映像源側（＋Ｚ側）の面は、第１光学形状層１２の単位光学形状１２Ａの略逆型の形状が複数配列されて形成されている。
このような第２光学形状層１４を設けることにより、反射層１３を保護することができる。また、このような第２光学形状層１４を設けることにより、スクリーン１０の背面側に保護層１５等を積層しやすくなり、また、後述の調光層２０の接合も容易となる。
【００３９】
第２光学形状層１４の屈折率は、第１光学形状層１２と略同等（同等とみなせる程度に小さい屈折率差を有している状態）であることが好ましく、同等であることが望ましい。また、第２光学形状層１４は、前述の第１光学形状層１２と同じ樹脂を用いて形成してもよいし、異なる樹脂を用いて形成してもよい。
本実施形態の第２光学形状層１４は、第１光学形状層１２と同じ紫外線硬化型樹脂により形成されている。
【００４０】
保護層１５は、第２光学形状層１４の背面側（−Ｚ側）に形成された光透過性を有する層であり、このスクリーン１０の背面側（−Ｚ側）を保護する機能を有している。
保護層１５は、光透過性の高い樹脂製のシート状の部材が用いられる。保護層１５は、例えば、前述の基材層１１と同様の材料を用いて形成されたシート状の部材を用いてもよい。
この保護層１５は、本実施形態のように背面側に調光層２０を接合するので、製造工程によっては、設けない形態としてもよい。
図４は、保護層１５を設けずに、第２光学形状層１４に粘着層３０が直接設けられている形態を示す図である。
図４に示すように、第２光学形状層１４に粘着層３０を直接設けて、調光層２０を接合する形態とすれば、積層される層の数が減るので、光学特性において有利である。
【００４１】
上述した基材層１１、第１光学形状層１２、反射層１３、第２光学形状層１４、保護層１５までは、従来から知られている反射スクリーンとしての構成を備えたものである。本実施形態のスクリーン１０は、この構成に、さらに、粘着層３０を介して調光層２０を備えた構成となっているが、先ずは、ここまでの構成について、反射スクリーンとしての機能を説明する。
【００４２】
図５は、実施形態のスクリーン１０での映像光及び外光の様子を示す図である。図５では、単位光学形状１２Ａの配列方向（Ｙ方向）及びスクリーンの厚み方向（Ｚ方向）に平行な断面での断面の一部を拡大して示している。また、図５では、理解を容易にするために、粘着層３０及び調光層２０を含めてスクリーン１０内の各層の界面における屈折率差はないものとして示している。
スクリーン１０の下方に位置する映像源ＬＳから投射され、スクリーン１０に入射した映像光Ｌ１のうち、一部の映像光Ｌ２は、その単位光学形状１２Ａの第１斜面１２Ａａに入射し、反射層１３によって拡散反射され、観察者Ｏ１側へ出射する。
【００４３】
第１斜面１２Ａａに入射した映像光のうち反射しなかった他の映像光Ｌ３は、反射層１３を透過し、スクリーン１０の背面側（−Ｚ側）から出射する。このとき、映像光Ｌ３は、スクリーン１０の上方へと出射し、スクリーン１０の背面側の正面方向に位置する観察者Ｏ２には到達しない。
また、映像源ＬＳから投射された映像光Ｌ１うち、一部の映像光Ｌ４は、スクリーン１０の映像源側表面で反射するが、スクリーン１０上方へ向かうので、観察者Ｏ１の映像の視認の妨げにはならない。
なお、本実施形態では、映像源ＬＳがスクリーン１０よりも下方に位置し、映像光Ｌ１がスクリーン１０の下方から投射され、かつ、第２斜面１２Ａｂの角度θ２（図２参照）がスクリーン１０の画面上下方向の各点における映像光の入射角度よりも大きいので、映像光が第２斜面１２Ａｂに直接入射することはなく、第２斜面１２Ａｂは、映像光の反射には殆ど影響しない。
【００４４】
次に、背面側（−Ｚ側）又は映像源側（＋Ｚ側）からスクリーン１０に入射する映像光以外の太陽光等の外界からの光（以下、外光という）について説明する。
図５に示すように、スクリーン１０に入射する外光Ｇ１，Ｇ５のうち、一部の外光Ｇ２，Ｇ６は、スクリーン１０の表面で反射し、スクリーン下方側へ向かう。また、一部の外光Ｇ３，Ｇ７は、反射層１３で反射し、例えば、外光Ｇ３は、スクリーン１０の映像源側（＋Ｚ側）の表面で全反射してスクリーン１０内下方へ向かい、外光Ｇ７は、背面側（−Ｚ側）のスクリーン外上方側へ出射する。また、反射層１３で反射しなかった他の外光Ｇ４，Ｇ８は、反射層１３を透過して、それぞれ背面側、映像源側へ出射する。このとき、映像源側へ出射する外光Ｇ２，Ｇ３，Ｇ８は、観察者Ｏには到達しないので、映像のコントラスト低下を抑制できる。
【００４５】
また、スクリーン１０に入射した外光の一部は、スクリーン１０の映像源側及び背面側の表面で全反射して、スクリーン内部下方側へ向かい、減衰する。
また、他の外光Ｇ９，Ｇ１０は、反射層１３を透過して、それぞれ背面側、映像源側へ出射する。スクリーン１０は、拡散粒子を含有する拡散材等を含有していないので、このスクリーン１０を透過する外光Ｇ９，Ｇ１０は、拡散されない。したがって、スクリーン１０を通して、スクリーン１０の向こう側の景色を観察した場合に、スクリーン１０の向こう側の景色がぼやけたり、白くにじんだりすることなく、高い透明性を有して観察することができる。
【００４６】
次に、調光層２０について説明する。
図２に示す調光層２０は、印加電圧を変化させることにより透過光の光量を制御することができるフィルムである。
この調光層２０は、保護層１５の背面側に、粘着層３０を介して接合されており、透過光の光量を制御することができる。
【００４７】
調光層２０は、二色性色素を使用したゲストホスト型の液晶セルであり、液晶に印加する電界により透過光量を変化させる液晶セルである。調光層２０は、フィルム状の液晶用第２積層体２０Ｂ及び液晶用第１積層体２０Ａにより液晶層２６を挟持して構成される。
液晶用第２積層体２０Ｂは、基材２１Ｂに、透明電極２２Ｂ、配向層２３Ｂ、ビーズスペーサー２４を積層して形成される。
液晶用第１積層体２０Ａは、基材２１Ａに、透明電極２２Ａ、配向層２３Ａを積層して形成される。
調光層２０は、この液晶用第１積層体２０Ａ及び液晶用第２積層体２０Ｂに設けられた透明電極２２Ｂ、２２Ａの駆動により、液晶層２６に設けられたゲストホスト液晶組成物による液晶材料の配向を変化させ、これにより透過光の光量を変化させる。
【００４８】
基材２１Ｂ、２１Ａは、種々の透明樹脂フィルムを適用することができるが、光学異方性が小さく、また、可視域の波長（３８０〜８００ｎｍ）における透過率が８０％以上である透明樹脂フィルムを適用することが望ましい。
透明樹脂フィルムの材料としては、例えば、トリアセチルセルロース（ＴＡＣ）等のアセチルセルロース系樹脂、ポリエチレンテレフタレート（ＰＥＴ）、ポリエチレンナフタレート（ＰＥＮ）等のポリエステル系樹脂、ポリエチレン（ＰＥ）、ポリプロピレン（ＰＰ）、ポリスチレン、ポリメチルペンテン、ＥＶＡ等のポリオレフィン系樹脂、ポリ塩化ビニル、ポリ塩化ビニリデン等のビニル系樹脂、アクリル系樹脂、ポリウレタン系樹脂、ポリサルホン（ＰＥＦ）、ポリエーテルサルホン（ＰＥＳ）、ポリカーボネート（ＰＣ）、ポリスルホン、ポリエーテル（ＰＥ）、ポリエーテルケトン（ＰＥＫ）、（メタ）アクロニトリル、シクロオレフィンポリマー（ＣＯＰ）、シクロオレフィンコポリマー等の樹脂を挙げることができる。
特に、ポリカーボネート（ＰＣ）、シクロオレフィンポリマー（ＣＯＰ）、ポリエチレンテレフタレート（ＰＥＴ）等の樹脂が好ましい。
基材２１Ｂ、２１Ａは、種々の厚みの透明樹脂フィルムを適用することができる。
【００４９】
透明電極（第１電極）２２Ａ、透明電極（第２電極）２２Ｂは、透明樹脂フィルムに積層される透明導電膜から構成されている。
透明導電膜としては、この種の透明樹脂フィルムに適用される各種の透明電極材料を適用することができ、酸化物系の全光透過率が５０％以上の透明な金属薄膜を挙げることができる。例えば、酸化錫系、酸化インジウム系、酸化亜鉛系が挙げられる。
【００５０】
酸化錫（ＳｎＯ２）系としてはネサ（酸化錫ＳｎＯ２）、ＡＴＯ（Antimony Tin Oxide：アンチモンドープ酸化錫）、フッ素ドープ酸化錫が挙げられる。
酸化インジウム（Ｉｎ２Ｏ３）系としては、酸化インジウム、ＩＴＯ（Indium Tin Oxide：インジウム錫酸化物）、ＩＺＯ（Indium  Zinc  Oxide）が挙げられる。
酸化亜鉛（ＺｎＯ）系としては、酸化亜鉛、ＡＺＯ（アルミドープ酸化亜鉛）、ガリウムドープ酸化亜鉛が挙げられる。
本実施形態では、ＩＴＯ（Indium Tin Oxide）により透明導電膜が形成される。
【００５１】
本実施形態ではスペーサーとして球形状のビーズスペーサー２４を用いる。ビーズスペーサー２４は、液晶層２６における外周部を除く部分の厚み（セルギャップ）を規定するために設けられる。ビーズスペーサー２４は、シリカ等による無機材料による構成、有機材料による構成、これらを組み合わせたコアシェル構造の構成等を広く適用することができる。また、ビーズスペーサー２４の形状は、上述した球形状の構成の他、円柱形状や角柱形状等で構成されたロッド形状としてもよい。
ただし、液晶層２６の厚みを規定するスペーサーとしては、ビーズスペーサー２４に限定されず、例えば、フォトレジストを基材２１Ａ側に塗工して露光、現像することにより円柱形状等に作製してもよい。
なお、上述の説明では、スペーサーは、液晶用第２積層体２０Ｂに設けられる例を示したが、これに限定されるものでなく、液晶用第１積層体２０Ａ、液晶用第２積層体２０Ｂの両方、又は、液晶用第１積層体２０Ａにのみ設けられるようにしてもよい。
【００５２】
配向層２３Ａ、２３Ｂは、液晶分子群を一定方向に配列させるための膜である。例えば、配向層２３Ａ、２３Ｂは、光配向層として作製したり、光配向層に代えてラビング処理により配向層を作製したりしてもよいし、微細なライン状凹凸形状を賦型処理して配向層を作製してもよい。なお、配向層２３Ａ、２３Ｂの作製方法は、上述した方法に限らず、適宜異なる方法を用いてもよい。
本実施形態では、光二量化型の材料を使用する。光二量化型の材料としては、例えば、シンナメート、クマリン、ベンジリデンフタルイミジン、ベンジリデンアセトフェノン、ジフェニルアセチレン、スチルバゾール、ウラシル、キノリノン、マレインイミド、又は、シンナミリデン酢酸誘導体を有するポリマー等を挙げることができる。中でも、配向規制力が良好である点で、シンナメート、クマリンの一方又は両方を有するポリマーが好ましく用いられる。このような光二量化型の材料の具体例としては、例えば特開平９−１１８７１７号公報、特表平１０−５０６４２０号公報、特表２００３−５０５５６１号公報及びＷＯ２０１０／１５０７４８号公報に記載された化合物を挙げることができる。
また、本実施形態では、調光層２０は、配向層２３Ａ，２３Ｂを備える形態を示したが、これに限らず、配向層２３Ａ，２３Ｂを備えない形態としてもよい。
【００５３】
液晶層（調光材料としての液晶材料）２６には、二色性色素組成物を使用したゲストホスト液晶組成物を広く適用することができる。ゲストホスト液晶組成物にはカイラル剤を含有させるようにして、液晶材料を水平配向させた場合に液晶層２６の厚み方向に螺旋形状に配向させるようにしてもよい。なお、調光層２０において、液晶層２６を囲むように、シール材２５が配置されている。このシール材２５により、液晶用第１積層体２０Ａ、液晶用第２積層体２０Ｂが一体に保持され、液晶材料の漏出が防止される。シール材２５は、例えばエポキシ樹脂、アクリル樹脂等の熱硬化性樹脂や紫外線硬化性樹脂等を適用することができる。
【００５４】
調光層２０は、遮光時におけるゲストホスト液晶組成物の配向が電界印加時となるように配向層２３Ｂ，２３Ａを一定の方向にプレチルトに係る配向規制力を設定した垂直配向層に構成し、これによりノーマリークリアにより構成される。なお、この透光時の設定を電界印加時としてノーマリーダークにより構成してもよい。
ここで、ノーマリーダークとは、液晶に電圧がかかっていない時に透過率が最小となり、黒い画面になる構造である。ノーマリークリアとは、液晶に電圧がかかっていない時に透過率が最大となり、透明となる構造である。
【００５５】
なお、本実施形態の調光層２０は、ゲストホスト型の液晶セルとしたが、二色性色素組成物を用いない液晶セルとして構成してもよい。この場合、直線偏光層をさらに設けることで、調光セルとして機能させることができる。これについて、以下により詳しく説明する。
【００５６】
図６は、実施形態のスクリーン１０の層構成の他の例を図２と同様にして示す図である。
図６に示すスクリーン１０の液晶層２７は、図２に示したスクリーン１０の液晶層２６に用いた二色性色素組成物を使用したゲストホスト液晶組成物ではない液晶を用いている。以下、このタイプの調光層２０について、「非ゲストホスト型」と呼び、図２に示したタイプの調光層２０は、「ゲストホスト型」と呼ぶこととする。
【００５７】
液晶層２７には、重合性官能基を有していない液晶化合物として、ネマチック液晶化合物、スメクチック液晶化合物及びコレステリック液晶化合物を適用することができる。
ネマチック液晶化合物としては、例えば、ビフェニル系化合物、ターフェニル系化合物、フェニルシクロヘキシル系化合物、ビフェニルシクロヘキシル系化合物、フェニルビシクロヘキシル系化合物、トリフルオロ系化合物、安息香酸フェニル系化合物、シクロヘキシル安息香酸フェニル系化合物、フェニル安息香酸フェニル系化合物、ビシクロヘキシルカルボン酸フェニル系化合物、アゾメチン系化合物、アゾ系化合物、及びアゾオキシ系化合物、スチルベン系化合物、トラン系化合物、エステル系化合物、ビシクロヘキシル系化合物、フェニルピリミジン系化合物、ビフェニルピリミジン系化合物、ピリミジン系化合物、及びビフェニルエチン系化合物等を挙げることができる。
スメクチック液晶化合物としては、例えば、ポリアクリレート系、ポリメタクリレート系、ポリクロロアクリレート系、ポリオキシラン系、ポリシロキサン系、ポリエステル系等の強誘電性高分子液晶化合物を挙げることができる。
コレステリック液晶化合物としては、例えば、コレステリルリノレート、コレステリルオレエート、セルロース、セルロース誘導体、ポリペプチド等を挙げることができる。
また、市販品としては、例えばメルク社製ＭＬＣ２１６６等の液晶材料を適用することができる。
【００５８】
また、図６に示す非ゲストホスト型の調光層２０は、直線偏光板２９Ａ，２９Ｂで両側を挟持した形態となっている。直線偏光板２９Ａ，２９Ｂを設けることにより、非ゲストホスト型の液晶を備える液晶層２７としても、調光機能を実現できる。
【００５９】
さらに、図６に示す非ゲストホスト型の調光層２０は、スペーサー２８の形態を、図２に示したゲストホスト型の調光層２０とは異なる形態を例示した。図６に示すスペーサー２８は、フォトレジストにより製造される形態とした。スペーサー２８は、透明電極２２Ｂを製造して構成された基材２１Ｂの上に、フォトレジストを塗工して露光、現像することにより製造される。なお、このスペーサーの形態については、ゲストホスト型においてフォトレジストを用いて構成してもよいし、非ゲストホスト型においてビーズスペーサーを用いて構成してもよい。
また、液晶の駆動方式として、ＴＮ（Ｔｗｉｓｔｅｄ  Ｎｅｍａｔｉｃ）方式、ＶＡ（Ｖｅｒｔｉｃａｌ  Ａｌｉｇｎｍｅｎｔ）方式、ＩＰＳ（Ｉｎ−Ｐｌａｎｅ−Ｓｗｉｔｃｈｉｎｇ）方式等の各種駆動方式が知られているが、ゲストホスト型及び非ゲストホスト型のいずれにおいても、これら公知の駆動方式を適宜選択して用いることができる。
【００６０】
ここで、上述したように、本実施形態のスクリーン１０は、調光層２０までを含めてみても、拡散作用を有する粒子等の拡散材を含有した光拡散層を備えておらず、拡散作用を有するのは、反射層１３の微細凹凸形状のみである。
【００６１】
従来の拡散粒子を含有する拡散層を備えた半透過型の反射スクリーンでは、映像光は、反射層での反射前後の２回拡散されるので、良好な視野角が得られる一方で映像の解像度が低下するという問題がある。また、拡散粒子によって外光も拡散されるため、スクリーンの向こう側の景色がぼやけたり、白くにじんだりして観察され、透明性が低下する。
【００６２】
しかし、本実施形態のスクリーン１０では、反射層１３の映像源側の面が微細な凹凸形状を有している以外は、拡散作用を有しないので、映像光は反射時のみ拡散される。また、本実施形態のスクリーン１０では、反射層１３で反射する光のみが拡散され、透過光は拡散されない。したがって、本実施形態のスクリーン１０は、良好な視野角及び解像度を有する映像を表示でき、かつ、スクリーン１０の向こう側の景色が白くにじんだり、ぼけたりすることがなく観察者Ｏ１に良好に視認され、高い透明性を実現できる。また、本実施形態のスクリーン１０では、スクリーン１０に映像光が投射された状態においても、観察者Ｏ１が、スクリーン１０の向こう側（背面側）の景色を一部視認することが可能である。さらに、本実施形態のスクリーン１０では、背面側に位置する観察者Ｏ２は、映像光の投射の有無に関わらず、スクリーン１０越しに映像源側（＋Ｚ側）の景色を高い透明性を有して良好に視認することができる。
【００６３】
次に、本実施形態のスクリーン１０のより具体的な実施例を２種類例示し、その透過率と効果について説明する。
（実施例１）
実施例１のスクリーン１０は、調光層２０は、図２に示したゲストホスト型とした。
単位光学形状１２Ａは、配列ピッチＰが１００μｍである。
反射層１３は、アルミニウムの蒸着膜により形成され、厚さ約５Å、透過率７０％、反射率５％である。
基材層１１は、ＰＥＴ樹脂製であり、厚さｔ１１＝１００μｍとした。
第１光学形状層１２及び第２光学形状層１４は、ウレタンアクリレート系の紫外線硬化型樹脂（屈折率１．５２）を素材とした。
第１光学形状層１２と反射層１３と第２光学形状層１４とを合せた厚さｔ１２１３１４＝１００μｍとした。
第２光学形状層１４の背面側の面から反射層１３までの最短距離ｔ１４＝３００μｍとした。
保護層１５は、ＰＥＴ樹脂製であり、厚さｔ１５＝約１００μｍである。
粘着層３０は、厚さｔ３０＝１０μｍとした。
基材２１Ａ、２１Ｂは、ポリカーボネートフィルムを素材とし、厚さｔ２１＝１００μｍとした。
透明電極２２Ａ、２２Ｂは、ＩＴＯを素材とし、厚さｔ２２＝１００μｍとした。
配向層２３Ａ、２３Ｂは、ポリイミド樹脂を素材とし、厚さｔ２３＝０．１μｍとした。
液晶層２６は、二色性色素組成物を使用したゲストホスト液晶組成物を用いた液晶としており、厚さｔ２６＝６．２μｍとした。液晶層２６は、ノーマリークリアの構成である。
以上の構成により、反射層１３と液晶層２６との間の最短距離は、０．１ｍｍとなり、０．５ｍｍ以下に収まっている。
【００６４】
（実施例２）
実施例２のスクリーン１０については、実施例１と異なる点についてのみ説明する。
実施例２のスクリーン１０では、調光層２０は、図６に示した非ゲストホスト型とした。
反射層１３は、誘電体多層膜により構成されており、具体的には、ＴｉＯ２と、ＳｉＯ２とを積層した構成とした。
直線偏光板２９Ａ，２９Ｂは、ポリビニルアルコール（ＰＶＡ）にヨウ素等を含浸させた後、延伸して直線偏光板としての光学的機能を果たす光学機能層が形成され、ＴＡＣ（トリアセチルセルロース）等の透明フィルム材による基材により光学機能層を挟持して作製される、厚さｔ２９＝２００μｍとした。
液晶層２７は、誘電率異方性が負の液晶を用いた液晶としており、厚さｔ２７＝３．５μｍとした。
なお、液晶層２７は、実施例１とは異なり、ノーマリーダークの構成である。
以上の構成により、反射層１３と液晶層２６との間の最短距離は、０．３ｍｍとなり、実施例２においても０．５ｍｍ以下に収まっている。
【００６５】
実施例１及び実施例２のいずれにおいても、反射層１３と液晶層２６との間の最短距離は、０．５ｍｍ以下としたので、製造時の貼り合わせを容易に行うことができ、かつ、厚さの均一性確保を容易に行うことができる。
【００６６】
図７は、実施例１及び実施例２の透過率をまとめて示した図である。図７中の調光層部分欄におけるＯＮ，ＯＦＦは、調光層２０への通電のＯＮ，ＯＦＦを示しており、実施例１のノーマリークリアと実施例２のノーマリーダークとで挙動が反対に構成されている。
図７に示すように、実施例１では、調光層２０へ通電を行えば、スクリーン１０全体での透過率を１４％に下げることができ、映像を投影していない領域については僅かに背景を視認できるようにしながら、映像を投影する領域では、背景の影響を抑えてコントラストの高い映像を観察可能である。また、背景側への抜け光も抑えることができる。
また、実施例２では、調光層２０への通電をＯＦＦとすれば、背景からの透過光を略全て遮断することができ、背景の影響を略完全に排除して映像を観察することができる。なお、実施例２では、反射層１３の反射率が低下してしまうが、背景の影響がなくなるので、十分に良好な映像を観察できるが、映像源ＬＳの光量を高めるとより良好な映像を観察可能である。
【００６７】
図７に示すように、反射層１３の構成と調光層２０の構成とを適切な条件で組み合わせることにより、調光層２０の透過率が最も高くなる状態におけるスクリーン１０の全体における透過率は、３０％以上、５０％以下の範囲に設定することができる。よって、十分に背景の観察が可能である。また、調光層２０の透過率が最も低くなる状態では、略背景の透過がない状態にすることも可能であり、背景の影響を殆ど受けることなく、映像の観察が可能である。
【００６８】
また、実施例１及び実施例２の双方とも、調光層２０が反射層を備える層と接合されて一体化されているので、両者の間に空気間隔部分が存在しない。これにより、図７に示すように高い透過率を実現可能である。
さらに、実施例２の形態であれば、光源の偏光状態を揃えることにより、直線偏光板２９Ａ，２９Ｂによって抜け光の発生を防止できる。
【００６９】
以上説明したように、本実施形態によれば、スクリーン１０は、調光層２０を備えているので、調光層２０への通電の切換によって光の透過率を選択的に変更することができる。よって、背景を透かして見えるようにしたい場合には透過率が高い状態とし、映像を見やすくしたい場合には透過率が低い状態とするといった使い方が可能となり、使い勝手がよい。
【００７０】
（変形形態）
以上説明した実施形態に限定されることなく、種々の変形や変更が可能であって、それらも本発明の範囲内である。
【００７１】
（１）実施形態において、スクリーン１０の表面や裏面に、傷つき防止を目的としたハードコート層を設けてもよい。ハードコート層は、例えば、スクリーン１０の面に、ハードコート機能を有する紫外線硬化型樹脂（例えば、ウレタンアクリレート等）を塗布する等により、形成される。
また、ハードコート層に限らず、スクリーン１０の使用環境や使用目的等に応じて、スクリーン１０に、例えば、反射防止機能、紫外線吸収機能、防汚機能、帯電防止機能等、適宜必要な機能を有する層を１つ又は複数選択して設けてもよい。さらに、基材層１１の映像源側にタッチパネル層等を設けてもよい。
特に、スクリーン１０の映像源側の表面に反射防止層を設けた場合には、反射層１３で反射した映像光が、映像源側の空気との界面で反射して、背面側から出射して背面側に映像が漏れたように表示されることを防止できる。
【００７２】
（２）実施形態において、全体として十分な厚みや剛性等を有している場合には、例えば、基材層１１を備えない形態としてもよい。
また、スクリーン１０は、基材層１１や保護層１５について、ガラス板等の光透過性を有する板状の部材としてもよい。
【００７３】
（３）実施形態において、反射層１３の表面（単位光学形状１２Ａの表面）の微細な凹凸形状は、その大きさや形状、配列等が不規則である例を示したが、大きさや形状、配列のいずれかが規則性を有していてもよい。
【００７４】
（４）実施形態において、映像源ＬＳは、スクリーン１０の画面左右方向の中央であって画面外の下方に位置する例を挙げて説明したが、これに限らず、例えば、スクリーン１０の斜め下側等に配置され、スクリーン１０に対して画面左右方向において斜め方向光から映像光を投射する形態としてもよい。
この場合、単位光学形状１２Ａの配列方向は、映像源ＬＳの位置に合わせて傾けた形態とする。このような形態とすることにより、映像源ＬＳの位置等を自由に設定することができる。
【００７５】
（５）実施形態において、単位光学形状１２Ａは、第１斜面１２Ａａ及び第２斜面１２Ａｂが平面により形成される例を示したが、これに限らず、例えば、曲面と平面とが組み合わされた形態としてもよいし、折れ面状としてもよい。
また、単位光学形状１２Ａは、３つ以上の複数の面によって形成される多角形形状としてもよい。
また、第１斜面１２Ａａ及び第２斜面１２Ａｂは、微細かつ不規則な凹凸形状が形成されている例を示したが、これに限らず、第１斜面１２Ａａにのみ微細かつ不規則な凹凸形状が形成されている形態としてもよい。
また、反射層１３，２３は、単位光学形状１２Ａの第１斜面１２Ａａ及び第２斜面１２Ａｂに形成される例を示したが、これに限らず、例えば、第１斜面１２Ａａの少なくとも一部に形成される形態としてもよい。
【００７６】
（６）実施形態において、映像表示装置１は、室内用のパーテーションに配置される例を示したが、これに限らず、例えば、展示会等における映像表示や、店舗等のショーウィンドウ等にも適用できる。
【００７７】
（７）実施形態において、調光層２０は、液晶を用いる例を挙げて説明した。これに限らず、例えば、調光層は、液晶以外を用いたものとして、例えば、ＥＣ方式、ＳＰＤ方式、ＰＤＬＣ方式調光フィルム等、電極間の電位差に応じて明暗（透過率）が変化するデバイスであってもよい。
ＥＣ方式（Ｅｌｅｃｔｒｏ  ｃｈｒｏｍｉｃ）を用いた調光フィルムは、一対の電極で調光層（電解質層）を挟んだ構造を有する。電極間の電位差に応じ、酸化還元反応を利用して調光層の色が透明と濃紺との間で変化する。
ＳＰＤ方式（Ｓｕｓｐｅｎｄｅｄ  Ｐａｒｔｉｃｌｅ  Ｄｅｖｉｃｅ）を用いた調光フィルムは、微粒子の配向を利用し、通常濃紺色に着色しているが、電圧を印加すると透明に変化し、電位を切ると元の濃紺色に戻るものであり、電圧によって濃淡を調整できる。
ＰＤＬＣ方式（Ｐｏｌｙｍｅｒ  Ｄｉｓｐｅｒｓｅｄ  Ｌｉｑｕｉｄ  Ｃｒｙｓｔａｌ）を用いた調光フィルムは、液晶層中に特殊なポリマーによるネットワーク構造体を形成させたもので、ポリマーネットワークの作用により、液晶分子の配列が不規則な状態を誘起して光を散乱させる。そして、電圧を印加することで、液晶分子を電界方向に配列させると、光が散乱されず、透明な状態となる。
【００７８】
なお、各実施形態及び変形形態は、適宜組み合わせて用いることもできるが、詳細な説明は省略する。また、本発明は以上説明した各実施形態によって限定されることはない。
【符号の説明】
【００７９】
１      映像表示装置
１０    スクリーン
１１    基材層
１２    第１光学形状層
１２Ａ  単位光学形状
１２Ａａ  第１斜面
１２Ａｂ  第２斜面
１３    反射層
１４    第２光学形状層
１５    保護層
２０    調光層
２０Ａ  液晶用第１積層体
２０Ｂ  液晶用第２積層体
２１Ａ  基材
２１Ｂ  基材
２２Ａ  透明電極（第１電極）
２２Ｂ  透明電極（第２電極）
２３    反射層
２３Ａ  配向層
２３Ｂ  配向層
２４    ビーズスペーサー
２５    シール材
２６    液晶層
２７    液晶層
２８    スペーサー
２９Ａ  直線偏光板
２９Ｂ  直線偏光板
３０    粘着層
４０    対角
５０    支持板
５１    接合層
【図１】
2019132973.tif 000003
【図２】
2019132973.tif 000004
【図３】
2019132973.tif 000005
【図４】
2019132973.tif 000006
【図５】
2019132973.tif 000007
【図６】
2019132973.tif 000008
【図７】
2019132973.tif 000009